(57)【要約】【課題】木質チップの使用水分率を算出する。【解決手段】バイオマス発電設備１０の管理装置５５であって、演算部１００を備え、前記演算部１００は、前記バイオマス発電設備１０の燃料として使用される木質チップの使用重量と、前記バイオマス発電設備１０の発電電力量とから前記バイオマス発電設備１０の燃料消費率を算出し、前記燃料消費率との相関性に基づいて、前記バイオマス発電設備１０の燃料として使用される木質チップの燃料使用時の使用水分率を算出する。【選択図】図９
2022001816.tif 000002
【特許請求の範囲】
【請求項１】
バイオマス発電設備の管理装置であって、
演算部を備え、
前記演算部は、前記バイオマス発電設備の燃料として使用される木質チップの使用重量と、前記バイオマス発電設備の発電電力量とから前記バイオマス発電設備の燃料消費率を算出し、前記燃料消費率との相関性に基づいて、前記バイオマス発電設備の燃料として使用される木質チップの燃料使用時の使用水分率を算出する、バイオマス発電設備の管理装置。
【請求項２】
請求項１に記載の管理装置であって、
チップ貯蔵庫のチップ残量がゼロの状態から前記チップ貯蔵庫に受け入れた木質チップを使い切って再びチップ残量がゼロとなるまでの期間を残量ゼロ期間と定義し、
前記相関性として、前記残量ゼロ期間の木質チップの平均使用水分率と前記残量ゼロ期間の平均燃料消費率との相関性を用いる、管理装置。
【請求項３】
請求項１又は請求項２に記載のバイオマス発電設備の管理装置であって、
前記演算部は、算出した前記使用水分率に基づいて、木質チップの低位発熱量を算出し、
算出した前記低位発熱量に基づいて、ボイラの入熱量を算出し、
算出した前記入熱量と、前記バイオマス発電設備の発電電力量とに基づいて、前記バイオマス発電設備の発電効率を算出する、バイオマス発電設備の管理装置。
【請求項４】
請求項１〜請求項３のいずれか一項に記載のバイオマス発電設備の管理装置であって、
前記演算部は、前記燃料消費率と前記使用水分率に基づいて、木質チップの絶乾重量と前記バイオマス発電設備の発電電力量の比である絶乾燃料消費率を算出する、バイオマス発電設備の管理装置。
【請求項５】
請求項１〜請求項４のいずれか一項に記載のバイオマス発電設備の管理装置であって、
前記演算部は、
木質チップの当日の受入絶乾重量と当日の使用絶乾重量と木質チップの前日の絶乾残量とに基づいて、木質チップの当日の絶乾残量を算出し、
算出した木質チップの当日の前記絶乾残量と木質チップの前記使用水分率に基づいて木質チップの残量を算出し、
算出した木質チップの前記残量と木質チップの低位発熱量に基づいて木質チップの残熱量を算出する、バイオマス発電設備の管理装置。
【請求項６】
請求項１〜請求項５のいずれか一項に記載のバイオマス発電設備の管理装置であって、
表示部を備え、
前記表示部は、前記演算部による演算結果のうち、少なくとも１つの演算結果を表示する管理装置。
【請求項７】
請求項１〜請求項６のいずれか一項に記載の管理装置を備えたバイオマス発電設備。
【請求項８】
木質チップの使用水分率の算出方法であって、
チップ貯蔵庫の残量がゼロの状態から前記チップ貯蔵庫に受け入れた木質チップを使い切って再びチップ残量がゼロとなるまでの期間を残量ゼロ期間と定義し、
前記残量ゼロ期間の木質チップの使用重量計と受入絶乾重量計とに基づいて、前記残量ゼロ期間の使用水分重量計を算出し、
前記残量ゼロ期間の使用水分重量計と使用重量計とに基づいて、前記残量ゼロ期間の木質チップの平均使用水分率を算出する、木質チップの使用水分率の算出方法。
【発明の詳細な説明】
【技術分野】
【０００１】
本発明は、バイオマス発電に関する。
【背景技術】
【０００２】
地球温暖化防止に向けたCO2削減や持続可能な社会の実現に向けたエネルギー自給率の向上のためには、再生可能エネルギー、特に森林資源の豊富なわが国では木質バイオマス発電の拡大が期待されている。尚、バイオマス発電に関する特許として、下記特許文献１がある。
【０００３】
下記特許文献１には、供給ホッパ１２の下流側に計量コンベア１３を設けており、供給ホッパ１２からボイラへ供給されるバイオマス燃料の流量を、計量コンベア１３で計測する構成になっている。
【先行技術文献】
【特許文献】
【０００４】
【特許文献１】特許第５０９２８２２号公報
【発明の概要】
【発明が解決しようとする課題】
【０００５】
バイオマス発電設備の管理方法として、ボイラ入熱量と発電電力量の比である発電効率を管理する方法が有効と考えられる。しかし、現状では、燃料となる木質チップの使用水分率を特定できないため、ボイラの入熱量が算出できず、発電効率を管理することが出来ない。また、木質チップの使用水分率を特定することは、発電効率の管理以外に、木質チップの残量管理を行う上でも、意味があると考えられる。
【０００６】
本発明は、上記のような事情に基づいて完成されたものであって、燃料となる木質チップの使用水分率を算出することを目的とする。
【課題を解決するための手段】
【０００７】
バイオマス発電設備の管理装置は、演算部を備え、前記演算部は、前記バイオマス発電設備の燃料として使用される木質チップの使用重量と、前記バイオマス発電設備の発電電力量とから前記バイオマス発電設備の燃料消費率を算出し、前記燃料消費率との相関性に基づいて、前記バイオマス発電設備の燃料として使用される木質チップの燃料使用時の使用水分率を算出する。使用水分率は、ホッパ投入時など、木質チップを燃料として実際に使用する時（燃料使用時）の水分率である。この構成では、燃料消費率との相関性に基づいて、木質チップの使用水分率を算出することが出来る。
【０００８】
この発明の実施態様として以下の構成でもよい。
チップ貯蔵庫のチップ残量がゼロの状態から前記チップ貯蔵庫に受け入れた木質チップを使い切って再びチップ残量がゼロとなるまでの期間を残量ゼロ期間と定義し、前記相関性として、前記残量ゼロ期間の木質チップの平均使用水分率と前記残量ゼロ期間の平均燃料消費率との相関性を用いてもよい。残量ゼロ期間の平均使用水分率は、想定を入れずに、測定値のみから算出出来るので、確度が高いと言うメリットがある。つまり、平均使用水分率を正確に特定することが出来、精度の高い相関性を得ることが出来る。そのため、精度の高い相関性を利用して木質チップの使用水分率を高精度に特定することが出来る。
【０００９】
この発明の実施態様として以下の構成でもよい。
前記演算部は、算出した前記使用水分率に基づいて、木質チップの低位発熱量を算出し、算出した前記低位発熱量に基づいて、ボイラの入熱量を算出し、算出した前記入熱量と、前記バイオマス発電設備の発電電力量とに基づいて、前記バイオマス発電設備の発電効率を算出してもよい。この構成では、バイオマス発電設備の発電効率を特定することが可能となり、バイオマス発電設備の管理に有効である。
【００１０】
この発明の実施態様として以下の構成でもよい。
前記演算部は、前記燃料消費率と前記使用水分率に基づいて、木質チップの絶乾重量と前記バイオマス発電設備の発電電力量の比である絶乾燃料消費率を算出してもよい。絶乾燃料消費率は、燃料購入量を評価するための指標となることから、事業性の評価に有効である。
【００１１】
この発明の実施態様として以下の構成でもよい。
前記演算部は、木質チップの当日の受入絶乾重量と当日の使用絶乾重量と木質チップの前日の絶乾残量とに基づいて、木質チップの当日の絶乾残量を算出し、算出した木質チップの当日の前記絶乾残量と木質チップの前記使用水分率に基づいて木質チップの残量を算出し、算出した木質チップの前記残量と木質チップの低位発熱量に基づいて木質チップの残熱量を算出してもよい。この構成では、木質チップの残量や残熱量を精度よく推定することが可能となり、木質チップの十分な残量管理が可能となる。
【００１２】
この発明の実施態様として以下の構成でもよい。
表示部を備え、前記表示部は、前記演算部による演算結果のうち、少なくとも１つの演算結果を表示してもよい。
【発明の効果】
【００１３】
本発明によれば、燃料となる木質チップの使用水分率を算出することが出来る。
【図面の簡単な説明】
【００１４】
【図１】本発明の一実施形態におけるバイオマス発電設備の概略構成図
【図２】各工程の測定項目をまとめた図表
【図３】発電効率の算出フロー
【図４】木質チップＰの重量変化を示す図
【図５】燃料消費率と使用水分率の関係を示すグラフ
【図６】燃料消費率および使用水分率、発電効率、絶乾HRの時間推移を示すグラフ
【図７】木質チップＰの残量計算結果と残量実査の年間の時間推移を示すグラフ
【図８】管理装置のブロック図
【図９】第１演算部のブロック図
【図１０】第２演算部のブロック図
【図１１】第３演算部のブロック図
【発明を実施するための形態】
【００１５】
＜実施形態＞
１．バイオマス発電設備１０の全体構成の説明
図１には、本発明を適用可能なバイオマス発電設備１０の概略構成図を示した。このバイオマス発電設備１０は、ボイラ２１と、タービン２３と、発電機２５と、復水器２７と、給水ポンプ２９と、バグフィルタ３１と、フライアッシュサイロ３３と、排気塔３５と、燃料供給部４０と、が備えられている。
【００１６】
バイオマス発電設備１０は、燃料供給部４０より供給される木質チップＰを燃料として、ボイラ２１で蒸気を生成し、生成した蒸気をタービン２３に供給する。そして、蒸気の供給によりタービン２３が回転すると、タービン２３に直結された発電機２５が発電を行う。
【００１７】
また、ボイラ２１の排ガスは、ガス中に含まれる煤じん（フライアッシュ）をバグフィルタ３１でろ過して除去した後、排気塔３５より廃棄される構成となっている。
【００１８】
燃料供給部４０は、木質チップＰを貯蔵するチップ貯蔵庫４１と、投入クレーン４３と、供給ホッパ４５と、供給フィーダ４７とを備えている。
【００１９】
木質チップＰには、切削チップと破砕チップの２種がある。切削チップは、木材をカッター等で切断したチップである。破砕チップは、木材をハンマー等で破砕したチップである。切削チップは角形で厚さが厚いのに対し、破砕チップは繊維方向に細長い形状を持つなど、両チップは形状が相違している。
【００２０】
チップ貯蔵庫４１には、切削ヤード４１Ａ、破砕ヤード４１Ｂ、混合ヤード４１Ｃの３種のヤードが設けられている。切削ヤード４１Ａは、切削チップの貯蔵用、破砕ヤード４１Ｂは破砕チップの貯蔵用、混合ヤード４１Ｃは、切削チップと破砕チップを混合した混合チップの貯蔵用である。
【００２１】
投入クレーン４３は、図１の左右方向に移動可能である。チップ貯蔵庫４１に貯蔵された木質チップＰは、クレーン４３により、供給ホッパ４５に投入される。尚、本例では、供給ホッパ４５に投入する燃料として、混合チップを使用する。
【００２２】
投入クレーン４３は、荷重計４３Ａを付設しており、供給ホッパ４５に投入された木質チップＰの重量[ｔ]を計量する。
【００２３】
ホッパ下部の供給フィーダ４７を駆動すると、供給ホッパ４５から燃料配管４９を通じて燃料である木質チップＰが、ボイラ２１に供給される。
【００２４】
供給フィーダ４７はスクリュー式であり、スクリュー４８の回転より木質チップＰを供給する。スクリュー４８は、図１にて紙面と直交する方向に複数設ける構成としてもよい。
【００２５】
次にバイオマス発電設備１０の電気的構成について説明する。バイオマス発電設備１０は、投入クレーン４３を制御するクレーン制御装置５１と、管理装置５５と、を備えている。
【００２６】
管理装置５５は、燃料供給部４０の制御機能と、バイオマス発電設備１０の管理機能を有している。具体的には、燃料供給部４０の制御機能として、発電機出力や主蒸気圧力の測定値と目標値との差分が小さくなるように、ボイラ２１に供給する木質チップＰの供給量を調整する。
【００２７】
例えば、発電機出力や主蒸気圧力の測定値が目標値より低い場合、供給フィーダ４７の回転速度Ｖを高くする指令を送る。これにより、供給フィーダ４７の回転速度Ｖが速くなり、ボイラ２１に対する木質チップＰの供給量が増加する。そのため、発電機出力や主蒸気出力を目標値に近づけることが出来る。
【００２８】
また、管理装置５５は、バイオマス発電設備１０の管理機能の１つとして、発電効率eff0の傾向管理を行う。以下、バイオマス発電設備１０の燃料である木質チップＰの管理工程についてまず説明を行い、その後、バイオマス発電設備１０の発電効率eff0の算出方法について、説明を行う。
【００２９】
２．木質チップＰの管理工程と測定項目
＜受入工程＞
受入工程は、木質チップＰをチップ貯蔵庫４１に対して受け入れる工程である。図１に示すように、木質チップＰは、トラックに積載されて、バイオマス発電設備１０に運ばれる。バイオマス発電設備１０のトラックヤード１５には、搬入される木質チップＰを計測するための計器として、トラックスケール１５Ａと水分率計１５Ｂが設けられている。
【００３０】
トラックスケール１５Ａは、木質チップＰを積載したトラックの重量を計測する。トラックスケール１５Ａの計測値からトラックの重量を引くことで、木質チップＰの受入重量［kg］を計測することが出来る。また、水分率計１５Ｂにより、木質チップＰの受入水分率［％］を計測することが出来る。このように、受入工程では、木質チップＰの「受入重量」と「受入水分率」の２項目を計測することが出来る。
【００３１】
受入重量は木質チップＰの受入時の重量、受入水分率は木質チップＰの受入時の水分率である。受入時は、木質チップＰをチップ貯蔵庫４１に受け入れた時である。
【００３２】
＜保管工程＞
保管工程は、チップ貯蔵庫４１にて木質チップＰを保管する工程である。受け入れた木質チップＰは、切削チップと破砕チップに大別され、各ヤード４１Ａ、４１Ｂに分けて保管され、自然乾燥される。各ヤード４１Ａ、４１Ｂの木質チップＰは、投入クレーン４３により掴み上げられ、混合ヤード４１Ｃに投入される。
【００３３】
このとき、投入クレーン４３で掴み上げて混合ヤード４１Ｃに投入する投入回数を制御することで、切削チップと破砕チップの割合を、使用したい比率に調整することが出来る。
【００３４】
例えば、切削チップと破砕チップの投入回数が１対１の場合、切削比率（混合チップ中の切削チップの割り合い）は５０％である。そして、混合ヤード４１Ｃに投入された２種の木質チップＰは、混合ヤード４１Ｃ内にて、混合してから使用される。
【００３５】
＜投入工程（使用工程）＞
投入クレーン４３は、混合ヤード４１Ｃから木質チップＰをランダムに掴みとり、供給ホッパ４５に供給する。供給ホッパ４５に供給された木質チップＰは、その後、供給フィーダ４７によりボイラ２１に送られる。
【００３６】
投入クレーン４３には、荷重計４３Ａが設置されており、供給ホッパ４５に対して投入した木質チップＰの使用重量［kg］（燃料として使用した重量）を測定することが出来る。しかし、水分率計は設けることが困難なため、木質チップＰの使用水分率［％］は測定できない。尚、使用水分率は、燃料使用時（ホッパ投入時）の木質チップＰの水分率である。
【００３７】
投入クレーン４３に水分率計を設けることが困難である理由は、水分率は、木質チップＰからサンプルを抜き取って作業員が計測作業を行う必要があることから、木質チップＰを供給ホッパ４５に投入する度に、毎回、そのような作業を行うことは、手間が掛かり過ぎ、現実として困難であるからである。
【００３８】
また、投入工程に付随する項目として、チップ燃料によるアウトプットとして発電電力量［kWh］を、発電機２５に設けられた電力計２５Ａにより測定することが出来る。
【００３９】
木質チップＰの使用重量は、上記の通り荷重計４３Ａで計測することが出来、発電電力量は、電力計２５Aにより測定することが出来る。そのため、1kWhの発電電力量を得るために消費する使用重量〔kg〕を表す燃料消費率HRを、木質チップＰの使用重量と発電電力量より、求めることが出来る。
【００４０】
＜チップ性状の外部機関による分析＞
木質チップＰを定期的にサンプル採取して、外部機関で絶乾発熱量、灰分率の分析を行っている。
【００４１】
このように、木質チップＰの管理工程には、受入工程、保管工程、投入工程、性状分析の４つの工程がある。図２は、各工程における木質チップＰの測定項目を示している。
【００４２】
３．発電効率eff0の算出と傾向管理
バイオマス発電設備１０の発電効率eff0は、Ｓ１〜Ｓ３の３つのステップにより算出することができる（図３参照）。
【００４３】
（Ｓ１）木質チップＰの使用水分率Uwoutの算出
（Ｓ２）木質チップＰの低位発熱量LHVoutの算出
（Ｓ３）発電効率eff0の算出
【００４４】
＜Ｓ１について＞
１．チップ貯蔵庫保管中の水分重量の変化
受入工程で受け入れた木質チップＰの受入重量Ｚ１は、図４に示すように、絶乾重量Ｘと受入水分重量Ｗ１との合計である。絶乾重量Ｘは、木質チップＰの乾燥重量（乾燥後の重量）であり、水分重量Ｗは木質チップＰに含まれる水分の重量である。
【００４５】
木質チップＰに含まれる水分の一部は、チップ貯蔵庫４１に受け入れてから燃料として実際に使用されるまでの保管期間に蒸発または吸湿する。木質チップＰの使用重量Ｚ２は、受入時に比べて水分の蒸発量分Ｑだけ軽くなる、または、吸湿量分だけ重くなる。
【００４６】
図４の「Ｑ」は木質チップＰの保管期間における水分蒸発量、「Ｗ２」は木質チップＰの使用水分重量を示している。また、水分が蒸発しても、絶乾重量Ｘに変化はなく、絶乾重量Ｘは一定である。
【００４７】
４．残量ゼロ期間に着目した使用水分率Uwoutの算出
残量ゼロ期間は、チップ貯蔵庫４１のチップ残量が、ゼロの状態からチップ貯蔵庫に受け入れた木質チップＰを使い切って、再びチップ残量がゼロとなるまでの期間である。言い換えると、チップ貯蔵庫４１のチップ残量をゼロからゼロとする期間、つまり、チップ残量がゼロのチップ貯蔵庫４１に木質チップＰを受け入れてから、そのチップを全て使い切り、チップ残量がゼロに戻るまでの期間である。残量ゼロ期間は、例えば、数か月から半年程度である。
【００４８】
残量ゼロ期間の重量計は、チップ貯蔵庫４１内のチップ残量の影響を受けないため、その期間全体では、以下の１式、２式の関係が成り立つ。尚、重量計は合計重量である。
受入絶乾重量計＝使用絶乾重量計・・・・・・（１）
使用水分重量計＝使用重量計−使用絶乾重量計＝使用重量計−受入絶乾重量計・・（２）
【００４９】
そして、２式により求めた使用水分重量計から、以下の３式より、木質チップについて、残量ゼロ期間の平均使用水分率を求めることが出来る。
残量ゼロ期間の平均使用水分率＝使用水分重量計／使用重量計・・・・（３）
【００５０】
残量ゼロ期間の平均使用水分率は、想定を入れずに、測定値のみから算出することが出来るので、確度が高いと言うメリットがある。
【００５１】
図５は、残量ゼロ期間の平均燃料消費率HRと残量ゼロ期間の平均使用水分率の関係を示すグラフである。このグラフは、残量ゼロ期間を一単位として、同期間の平均使用水分率と平均燃料消費率を調べる調査を、複数回（複数期間）行うことにより、得られたものである。得られたデータより、残量ゼロ期間の平均使用水分率と残量ゼロ期間の平均燃料消費率HRの相関をとると、図５に示す実線で示す相関直線（一次近似直線）が得られる。図５にて実線で示す相関直線より、木質チップＰの使用水分率Uwoutを、燃料消費率HRを変数として、（４）式にて表すことが出来る。
【００５２】
使用水分率＝０．４４３１×HR−０．１９４０・・・・（４）
【００５３】
なお、燃料消費率HRは、５式で示すように、荷重計４３Ａで計測可能な木質チップＰの使用重量と、電力計２５Ａで計測可能な発電機２５の発電電力量により求めることが出来る。すなわち、計測可能量のみを使って求めることができる。
燃料消費率HR＝木質チップＰの使用重量／発電電力量〔kg/kWh〕・・・・（５）
【００５４】
燃料消費率HRは発電効率eff0により変化する。データを採取した木質バイオマス発電設備１０では、効率改善に取り組んでいるため、高効率運転を行った期間とそれ以外の期間でグループ化して、残量ゼロ期間について、平均使用水分率と平均燃料消費率HRの相関をとると、図５に点線で示す相関直線が得られ、さらに相関性が向上する。
【００５５】
高効率運転期間とそれ以外の期間では、使用水分率Uwoutの絶対値は１％程度異なるが、燃料消費率HRに対する変化量（傾き）はほぼ一致する。相関直線は、高効率運転期間とそれ以外の期間を区別することなく、実線の特性を使用してもいいし、高効率運転期間とそれ以外の期間で、その期間に対応する破線の特性を選んで使用してもよい。
【００５６】
また、（４）式に示すように、木質チップＰの使用水分率Uwoutは、燃料消費率HRを変数とする１次式で示される。変数である燃料消費率HRは、使用重量や発電電力の計測値からリアルタイムに求めることが可能であることから、木質チップＰの使用水分率Uwoutについても、リアルタイムで算出することが出来る。
【００５７】
＜Ｓ２について＞
Ｓ２は、Ｓ１で算出した木質チップＰの使用水分率Uwoutを用いて、木質チップＰの低位発熱量LHVoutを算出する。尚、燃料（木質チップ）を燃焼させて得られる発熱量のうち、燃焼ガス中の生成水蒸気が凝縮したときに得られる凝縮潜熱を含めた発熱量を高位発熱量といい、水蒸気のままで凝縮潜熱を含まない発熱量を低位発熱量という。
【００５８】
木質チップＰの低位発熱量LHVと水分率Uwとの間には、一般的に以下の６式の関係が成り立つことが知られている。
LHV＝１次項×Uw＋定数項・・・・・（６）
【００５９】
定数項は、水分率がゼロの場合の低位発熱量LHV、つまり、木質チップＰの絶乾発熱量LHVmである。本実施形態では、外部分析機関により測定される木質チップＰの分析データ（絶乾発熱量LHVm、灰分率Ua）から、下記の７式より、定数項を算出する。
定数項＝LHVm／（１−Ua）・・・・（７）
【００６０】
上記の６式において、Uwout＝１００％の場合、LHV＝水の吸熱量である。そのため、水の吸熱量＝１次項＋定数項の関係が成り立つ。
【００６１】
よって、１次項を下記の８式にて算出することが出来る。
１次項＝（水の吸熱量−定数項）・・・・（８）
１次項＜０である。
【００６２】
尚、水の吸熱量は、水が気化する際の潜熱である５３９kcal/kgを用いる。
【００６３】
以上により、１次項と定数項を求めることが出来るので、Ｓ１で求めた木質チップＰの使用水分率Uwoutを、６式に代入することで、木質チップＰの低位発熱量LHVoutを算出することが出来る。LHVoutは、木質チップＰの燃料使用時の低位発熱量である。
【００６４】
＜Ｓ３について＞
Ｓ３は、Ｓ２で算出した木質チップＰの低位発熱量LHVoutを用いて、バイオマス発電設備１０の発電効率eff0を算出する。発電効率eff0は、木質チップＰが保有する熱エネルギー（ボイラの入熱量）を電気エネルギーに変換する効率である。
【００６５】
ボイラ２１の入熱量は、木質チップＰの使用重量と低位発熱量LHVoutを用いて、以下の９式より、求めることが出来る。
ボイラの入熱量＝木質チップＰの使用重量×低位発熱量LHVout〔kcal〕・・・（９）
【００６６】
発電効率eff0は、発電機２５の発電電力量とボイラ２１の入熱量を用いて、以下の１０式より、求めることが出来る。
発電効率eff0＝発電電力量〔kWh〕×８６０／ボイラの入熱量〔kcal〕・・・・（１０）
なお、８６０は単位変換係数である。
【００６７】
Ｓ１〜Ｓ３のステップで、バイオマス発電設備１０の発電効率eff0を求めることが出来る。発電効率eff0は、日単位、時間単位のデータとして、求めることが出来る。発電効率eff0の変化から、発電効率eff0の傾向を管理することが出来る。
【００６８】
この発明では、従来では困難であった、木質チップＰの使用水分率Uwoutの算出を可能としたことで、木質チップＰの低位発熱量LHVout引いては、ボイラ２１の入熱量を特定することが可能となった。
【００６９】
そのため、発電電力量から発電効率eff0を推定することが出来、化石燃料を使用した火力発電設備等と同様に、発電効率管理を行うことが可能となる。以上のことから、設備の劣化管理、運転状態の変化による異常兆候の早期発見や設備運用改善効果の確認など、事業性に直結する管理が期待出来る。
【００７０】
燃料消費率HRおよび上記Ｓ１〜Ｓ３のステップにより算出した、使用水分率Uwout、発電効率eff0の１年間の時間推移を図６に示す。
【００７１】
５．燃料消費率比について
燃料消費率の基準に対する比を、燃料消費率比と定義し、その値を求める。
HRr＝HR／HRs・・・・・・・・（１１Ａ）
HRrは燃料消費率比、HRは燃料消費率、HRsは燃料消費率の基準値である。
【００７２】
燃料消費率の基準値としては、発電設備１０の計画値や残量ゼロ期間の平均値を用いるとよい。この例では、１日あたりの発電電力量の計画値、チップ使用重量の計画値などを用いて、次式に従って、燃料消費率の基準値を算出する。
【００７３】
尚、Uwoutはその時の使用水分率、LHVoutは使用水分率Uwoutにおける低位発熱量LHV、effs0は基準発電効率である。
【００７４】
基準発電電力量Es0［kWh/d］＝発電機の定格出力［kW］×24［h］・・（１１Ｂ）
基準入熱量Qs0［Mcal/d］＝Es0×860／1000／effs0・・（１１Ｃ）
基準使用重量Fs0［t/d］＝Qs0／LHVout・・・・・・・・（１１Ｄ）
HRs［kg/kWh］＝Fs0×1000／Es0・・・・・・・・（１１Ｅ）
【００７５】
そして、１１Ａ式により求めた燃料消費率比HRrが１より大きい、すなわち、HR＞HRsの場合、基準よりも燃料使用量が多く、発電効率eff0は基準発電効率effs0よりも悪化していると判断出来る。
【００７６】
逆に、１１Ａ式により求めた燃料消費率比HRrが１より小さい、すなわち、HR＜HRsの場合、基準よりも燃料使用量が少なく、発電効率eff0は基準発電効率effs0よりも良化していると判断出来る。
【００７７】
基準値HRsは、１［kWh］の電力を発生させるために必要となる木質チップＰの使用重量の基準値である。木質チップＰの使用重量は、低位発熱量LHVが変われば、異なる値となるので、基準値HRsは、LHVごとに算出する必要がある。
【００７８】
６．事業性を評価するための指標
発電効率eff0、チップの低位発熱量LHV、燃料消費率HRには、次の関係がある。
eff0×LHV×HR＝定数・・・・（１２）
LHV(kcal/kg)、HR(kg/kWh)の単位系では、定数は860である。
【００７９】
バイオマス発電設備１０において、木質チップＰの使用重量と発電電力量は測定可能な項目であることから、５式より、燃料消費率HRはリアルタイムに測定可能することが可能である。そのため、燃料消費率HRから「860／HR」の値、すなわち、「eff0×LHV」の値は算出することが出来る。
【００８０】
LNGを燃料とする火力発電設備などは、燃料のLHVが概ね一定となるため、HRが算出できれば、結局、発電効率eff0を特定することが出来る。
【００８１】
しかし、木質チップＰを燃料とする木質バイオマス発電設備においては、チップ貯蔵庫での保管中に、木質チップＰの保有水分量の変動によりLHVが大きく変化するため、HRが変化した時に、発電効率eff0と低位発熱量LHVとのどちらが変化したのか、その原因を算出することが困難である。
【００８２】
本発明により、燃料消費率HRから使用水分率Uwoutを特定出来るようになったことで、低位発熱量LHVを特定出来、発電効率eff0も特定出来る。
【００８３】
バイオマス発電設備１０の事業性を評価するには、燃料購入量を管理する必要がある。１２式より燃料使用量に相当する燃料消費率HRは１３式で表される。
HR＝860／LHV／eff0・・・・・（１３）
【００８４】
LHVの変化がほとんどない火力発電設備では、発電効率eff0と燃料消費率HRは反比例し、eff0を管理すれば、燃料購入量を管理することができる。
【００８５】
一方、木質バイオマス発電設備では、木質チップＰの保有水分量の変動によりLHVが大きく変化するため、発電効率eff0が向上してもLHVの低下量が大きければ、eff0とLHVの積は小さくなり、その結果、HRすなわち燃料購入量は増加する。
【００８６】
上記より、木質バイオマス発電設備１０では、発電効率eff0のみの管理では燃料購入量の管理は出来ず、事業性の評価は出来ない。
【００８７】
事業性の評価、すなわち、燃料購入量の評価するための指標として絶乾HR（絶乾燃料消費率）を用いる。絶乾HRは、1kWhを発電するために消費する木質チップＰの絶乾重量（木質重量）を表し、次式により定義する。
【００８８】
絶乾HR（HRz）〔kg/kWh〕＝絶乾重量／発電電力量
＝使用重量×（１−使用水分率）／発電電力量
＝燃料消費率HR×（１−使用水分率）・・・・・（１４）
【００８９】
木質チップPの受入時の絶乾重量と使用時の絶乾重量は一致するため、絶乾HRを用いることで、木質チップPの水分重量によらず、燃料購入量を管理することができる。
【００９０】
例えば、１日の基準発電電力量Es0［kWh/d］とした場合、１日に使用した絶乾重量は１５式となる。
１日に使用した絶乾重量＝絶乾HR（HRz）×基準発電電力量Es0／1,000〔t/d〕・（１５）
【００９１】
燃料購入時に基準としている水分率がUwsであれば、１６式により上記の絶乾重量を基準水分率Uwsに換算することで、燃料購入量を算出、評価できる。
基準水分率Uws換算重量＝１日に使用した絶乾重量／（１−Uws）・・・（１６）
【００９２】
図６に発電効率と絶乾HRの年間の時間推移を示す。図６中における上の太線は「発電効率」の時間推移を示し、下の太線は、「絶乾HR」の時間推移を示す。LHVが一定であれば、発電効率eff0が増加すれば絶乾HRは減少するはずであるが、必ずしもその動きをしていない。これは、燃料購入量の評価には絶乾HRを管理する必要があることを表している。
【００９３】
７．チップ貯蔵庫残量の管理
木質チップＰの絶乾重量（＝木質重量）は１７式で表される。
木質チップＰの絶乾重量＝木質チップＰの重量×（１−水分率Uw）・・・（１７）
【００９４】
絶乾重量は水分重量の影響を受けないため、当日の絶乾残量は、木質チップＰの前日の絶乾残量と、木質チップＰの受入絶乾重量と、木質チップＰの使用絶乾重量とから、以下の１８式に基づいて木質チップＰの当日の絶乾残量を算出する。
当日の絶乾残量＝前日の絶乾残量＋受入絶乾重量−使用絶乾重量・・・・（１８）
【００９５】
また、木質チップＰの当日の残量は、当日の絶乾残量と使用水分率Uwoutとから、以下の１９式に基づいて算出する。
木質チップの当日の残量＝当日の絶乾残量／（１−Uwout）・・・・・・（１９）
【００９６】
木質チップＰの残熱量は、当日の残量と低位発熱量LHVを用いて、下記の２０式より、算出する。
残熱量＝残量×低位発熱量LHVout・・・・・（２０）
【００９７】
チップ貯蔵庫４１の保管量は、熱量による管理を行う必要がある。従来は、月末に目視により体積を測定し、嵩比重想定値を掛け合わせて重量に換算しており、多大な労力を要することが課題となっていた。
【００９８】
この発明では、木質チップＰの使用水分率Uwoutの算出を可能としたことで、木質チップＰの使用重量と、使用水分率Uwoutから、１７式に基づいて、使用絶乾重量を算出することができる。そのため、チップ貯蔵庫４１における、木質チップＰの当日の残量や残熱量を求めることが出来る。
【００９９】
図７に、この発明による残量計算結果と月末に目視により実測した残量実査結果の年間の時間推移を示す。残量計算結果と残量実査結果は概ね一致しており、残量計算は使用可能と評価する。
【０１００】
また、残量は、上記に示すように、使用水分率Uwoutを用いて算出するため、使用水分率Uwoutに誤差があると、残量計算結果に蓄積され、残量の誤差が大きくなるが、図７では残量計算結果と残量実査結果の誤差が小さいことから、この発明で算出した使用水分率Uwoutの誤差は小さいと評価することが出来る。
【０１０１】
上記により、木質チップＰの残量や残熱量を精度よく推定することが可能となり、木質チップＰの十分な残量管理が可能となる。以上のことから、燃料調達管理やチップ貯蔵庫での乾燥状況確認による事業性改善など、事業性に直結する管理が可能となる。
【０１０２】
８．管理装置５５について、
図１に示すように、管理装置５５は、演算部１００と、記憶部１５０と、表示部１６０と、入力部１７０を備えている。記憶部１５０は、データの記憶用、表示部１６０はデータの表示用、入力部１７０は管理者の入力用である。記憶部１５０に記憶されるデータには、図５に示す相関直線のデータなど、使用水分率Uwoutや発電効率eff0を算出するための各種データが含まれている。
【０１０３】
図８は、演算部１００のブロック図である。演算部１００は、第１演算部１１０と、第２演算部１２０と、第３演算部１３０を備えている。
【０１０４】
演算部１００には、演算用信号として、発電電力量、木質チップＰの使用重量、木質チップＰの受入重量、木質チップＰの受入水分率が入力される。尚、発電電力量は、発電機２５の電力計２５Ａにて計測することが出来る。木質チップＰの使用重量は、投入クレーン４３の荷重計４３Ａにて計測することが出来る。木質チップＰの受入重量は、トラックスケール１５Ａにて計測することが出来る。木質チップＰの受入水分率は、水分率計１５Ｂにて計測することが出来る。
【０１０５】
第１演算部１１０は、演算用信号に基づいて、木質チップＰの使用水分率Uwoutを演算する。
【０１０６】
第１演算部１１０は、図９に示すように、ＨＲ演算部１１０Ａ、及び使用水分率演算部１１０Ｂを有している。
【０１０７】
HR演算部１１０Ａは、発電電力量と木質チップＰの使用重量に基づいて、バイオマス発電設備１０の燃料消費率HRを求める。具体的には、上記した５式より求める。
【０１０８】
使用水分率演算部１１０Ｂは、木質チップＰの使用水分率Uwoutを算出する。具体的には、バイオマス発電設備１０の燃料消費率HRに基づいて、上記の４式より、木質チップＰの使用水分率Uwoutを算出する。
【０１０９】
第２演算部１２０は、図１０に示すように、使用水分率Uwoutと、木質チップＰの使用重量と、発電電力量に基づいて、発電効率eff0、燃料消費率比HRr、絶乾HRを演算する。
【０１１０】
第２演算部１２０は、図１０に示すように、LHV演算部１２０Ａ、ボイラ入熱量演算部１２０Ｂ、発電効率演算部１２０Ｃ、HR演算部１２０Ｄ、設定部１２０Ｅ、燃料消費率比演算部１２０Ｆ、及び絶乾HR演算部１２０Ｇを有している。
【０１１１】
LHV演算部１２０Ａは、第１演算部１１０で算出した木質チップＰの使用水分率Uwoutを用いて、上記の６式より、木質チップＰの低位発熱量LHVoutを算出する。
【０１１２】
ボイラ入熱量演算部１２０Ｂは、木質チップＰの低位発熱量LHVoutと木質チップＰの使用重量とに基づいて、上記の９式より、ボイラ２１の入熱量を算出する。
【０１１３】
発電効率演算部１２０Ｃは、ボイラ２１の入熱量と発電電力量とに基づいて、上記の１０式より、発電効率eff0を算出する。
【０１１４】
HR演算部１２０Ｄは、発電電力量と木質チップＰの使用重量に基づいて、バイオマス発電設備１０の燃料消費率HRを求める。
【０１１５】
設定部１２０Ｅは、LHV演算部１２０Ａにて算出した木質チップＰの低位発熱量LHVに基づいて、燃料消費率HRの基準値HRsを算出する。
【０１１６】
燃料消費率比演算部１２０Ｆは、HR演算部１２０Ｄで算出した燃料消費率HRの演算値と基準値HRsとに基づいて、上記の１１Ａ式より、燃料消費率比HRrを算出する。
【０１１７】
絶乾HR演算部１２０Ｇは、HR演算部１２０Ｄで算出した燃料消費率HRの演算値と使用水分率Uwoutとに基づいて、上記の１４式より、絶乾HR(HRz)を算出する。
【０１１８】
第２演算部１２０は、算出した各値のデータを、表示部１６０に表示してもよい。例えば、発電効率eff0、燃料消費率比HRr、絶乾HRを日単位で算出し、そのデータを、横軸を時間軸としたグラフ等により表示してもよい。これらのデータの演算周期、表示周期は日単位に限らず、時間単位や半日単位、数日単位でもよい。
【０１１９】
第３演算部１３０は、図１１に示すように、受入絶乾重量演算部１３０Ａ、使用絶乾重量演算部１３０Ｂ、当日の絶乾残量演算部１３０Ｃ、前日絶乾残量記憶部１３０Ｄ、当日の残量演算部１３０Ｅ、LHV演算部１３０Ｆ、残熱量演算部１３０Ｇを有している。
【０１２０】
受入絶乾重量演算部１３０Ａは、木質チップＰの受入重量と受入水分率Uwinとから、上記の１７式に基づいて、木質チップＰの受入絶乾重量を算出する。
【０１２１】
使用絶乾重量演算部１３０Ｂは、木質チップＰの使用重量と使用水分率Uwoutとから、上記の１７式に基づいて、木質チップＰの使用絶乾重量を算出する。
【０１２２】
当日の絶乾残量演算部１３０Ｃは、木質チップＰの前日の絶乾残量と、木質チップＰの受入絶乾重量と、木質チップＰの使用絶乾重量とから、上記の１８式に基づいて木質チップＰの当日の絶乾残量を算出する。
【０１２３】
当日の残量演算部１３０Ｅは、木質チップＰの当日の絶乾残量と使用水分率Uwoutとから、上記の１９式に基づいて木質チップＰの当日の残量を算出する。
【０１２４】
LHV演算部１３０Ｆは、木質チップＰの使用水分率Uwoutを用いて、上記の６式より、木質チップＰの低位発熱量LHVoutを算出する。
【０１２５】
残熱量演算部１３０Ｇは、木質チップＰの当日の残量と低位発熱量LHVを用いて、上記の２０式より、木質チップＰの残熱量を算出する。
【０１２６】
第３演算部１３０は、算出した各値のデータを、表示部１６０に表示してもよい。具体的には、木質チップＰの絶乾残量、残量、残熱量の日単位のデータを、横軸を時間軸としたグラフ等により、表示してもよい。
【０１２７】
＜他の実施形態＞
本発明は上記記述及び図面によって説明した実施形態に限定されるものではなく、例えば次のような実施形態も本発明の技術的範囲に含まれる。
【０１２８】
上記実施形態では、３式より、残量ゼロ期間の平均使用水分率を算出した。残量ゼロ期間の平均使用水分率に基づいて、残量ゼロ期間の平均低位発熱量を算出してもよい。また、算出した平均低位発熱量に基づいて、残量ゼロ期間のボイラの平均入熱量を算出してもよい。そして、残量ゼロ期間のボイラの平均入熱量と残量ゼロ期間の平均発電電力量とに基づいて、残量ゼロ期間のバイオマス発電設備の平均発電効率を算出してもよい。残量ゼロ期間であれば、各値を実測値のみで算出することが出来るので、確度の高い値が得られる。
【０１２９】
上記実施形態では、残量ゼロ期間の平均使用水分率と残量ゼロ期間の平均燃料消費率の実績データに基づいて、使用水分率と燃料消費率の相関性を求めた（図５の相関直線）。
使用水分率と燃料消費率の相関性の求め方は、実施形態で例示した方法（残量ゼロ期間に着目した方法）に限らず、他の期間の実績データから求めるようにしてもよい。また、使用水分率と燃料消費率の相関性は、直線近似に限らず、曲線近似などでもよい。また、相関性のデータは、数式として保持する場合に限らず、これを参照テーブルとして持つようにしてもよい。
【符号の説明】
【０１３０】
１０  バイオマス発電設備
２１  ボイラ
２３  タービン
２５  発電機
４０  燃料供給装置
４３  クレーン
４５  供給ホッパ
４７  供給フィーダ
４８  スクリュー
５１  クレーン制御装置
５５  管理装置
１００  演算部
１１０  第１演算部
１２０  第２演算部
１３０  第３演算部
【図１】
2022001816.tif 000003
【図２】
2022001816.tif 000004
【図３】
2022001816.tif 000005
【図４】
2022001816.tif 000006
【図５】
2022001816.tif 000007
【図６】
2022001816.tif 000008
【図７】
2022001816.tif 000009
【図８】
2022001816.tif 000010
【図９】
2022001816.tif 000011
【図１０】
2022001816.tif 000012
【図１１】
2022001816.tif 000013